(57)【特許請求の範囲】
【請求項１】
引戸に施錠解錠可能に配設された錠本体およびこの錠本体を施錠する施錠位置と解錠する解錠位置とに往復動可能に配設されてこの錠本体を施錠または解錠させる作動軸と、
前記作動軸の一端に連結されて前記引戸の室内側の側面に形成された室内側引手にて前記施錠位置と解錠位置とを往復動可能に配設された室内側操作部と、
前記作動軸の他端に連結されて前記引戸の室外側の側面に形成された室外側引手にて前記施錠位置と解錠位置とを往復動可能に配設された室外側操作部と、
この室外側操作部が前記室内側引手側へ押圧されたときに、この室外側操作部の移動を阻止する阻止機構と、を具備し、
前記阻止機構は、
前記室外側引手に固定された係止部を有する係止部材と、
この係止部材に対向配置可能に前記室外側操作部の裏面に配設され、この係止部材の対向面に摺動可能に弾性的に当接する弾性部および前記室外側操作部の外面が前記室内側引手側へ押圧されて、この弾性部が前記係止部材側へ押圧され弾性変形したときに前記係止部に係脱可能に係止し、前記室外側操作部の移動を阻止する被係止部を有するロック部材と、
を具備していることを特徴とする引戸用錠前。
【請求項２】
前記阻止機構は、前記室外側操作部の裏面にて前記ロック部材に並設されて前記係止部材の対向面を摺動するスライダーを有し、このスライダー側の前記室外側操作部の外面が室内側引手側へ押圧されたときに  前記弾性部の弾性復元力により前記係止部と前記被係止部との係止を解除し、前記室外側操作部の解錠位置への移動を可能とするように構成されていることを特徴とする請求項１記載の引戸用錠前。
【請求項３】
前記阻止機構は、前記室外側操作部における前記スライダー側の外面が室内側引手側へ押圧されたときに、前記弾性部の弾性復元力によりこのロック部材側の方が前記スライダー側よりも高くなるように前記室外側操作部を傾斜させ、この室外側操作部のスライダー側一端と、この一端と対向する前記室外側引手の一端との間に間隙を形成し、この間隙内に挿入部材が挿入され、かつ前記室外側操作部における前記スライダー側の外面の室内側引手側への押圧が停止したときに、この挿入部材による前記室外側操作部の解錠位置への移動を可能とするように構成されていることを特徴とする請求項２記載の引戸用錠前。
【発明の詳細な説明】
【技術分野】
【０００１】
本発明の実施形態は、引戸用錠前に関する。
【背景技術】
【０００２】
一般に、室内用の引戸は、トイレや洗面所、その他所要の部屋や室内を仕切るスライドドアや間仕切り等として使用され、引戸の室内側と室外側の両側面には、例えば凹状の掘り込み引手等の引手をそれぞれ形成したものが多用されている（例えば、特許文献１参照）。
【０００３】
そして、これら引戸に錠本体を設け、引戸を施錠，解（開）錠可能に構成したものも知られている（例えば、特許文献２，３，４参照）。
【先行技術文献】
【特許文献】
【０００４】
【特許文献１】特開２０１４−５６３７号公報
【特許文献２】特開２００９−３０２５２号公報
【特許文献３】特開２００７−１８２６７４号公報
【特許文献４】特開平１１−２２２７３号公報
【発明の概要】
【発明が解決しようとする課題】
【０００５】
そして、上記錠本体を設けた引戸では、その錠本体を施錠または解錠操作するための操作つまみを、引戸の室内，外両側の側面にそれぞれ設け、室内，外両側から施錠または解錠操作できるものも提案されている。
【０００６】
しかしながら、この種の引戸では、例えばトイレ等の室内側の操作つまみにより施錠操作した場合でも、子供等のいたずら等により、室外側から解錠操作されることが可能である。
【０００９】
本発明の実施形態は、引戸の室外側では容易に解錠操作ができない引戸用錠前を提供することにある。
【課題を解決するための手段】
【００１０】
実施形態は、引戸に施錠解錠可能に配設された錠本体およびこの錠本体を施錠する施錠位置と解錠する解錠位置とに往復動可能に配設されてこの錠本体を施錠または解錠させる作動軸と、作動軸の一端に連結されて引戸の室内側の側面に形成された室内側引手にて、施錠位置と解錠位置とを往復動可能に配設された室内側操作部と、を具備している。
【００１１】
また、作動軸の他端に連結されて引戸の室外側の側面に形成された室外側引手にて施錠位置と解錠位置とを往復動可能に配設された室外側操作部と、この室外側操作部が室内側引手側へ押圧されたときに、この室外側操作部の移動を阻止する阻止機構と、を具備している。
阻止機構は、室外側引手に固定された係止部を有する係止部材と、この係止部材に対向配置可能に室外側操作部の裏面に配設され、この係止部材の対向面に摺動可能に弾性的に当接する弾性部および室外側操作部の外面が室内側引手側へ押圧されて、この弾性部が係止部材側へ押圧され弾性変形したときに係止部に係脱可能に係止し、室外側操作部の移動を阻止する被係止部を有するロック部材と、を具備している。
【発明の効果】
【００１２】
室外側操作部を室内側引手側に押圧したときには、この室外側操作部の施錠位置または解錠位置への移動が阻止機構により阻止される。このために、室外側操作部により簡単に施錠または解錠することができない。
【図面の簡単な説明】
【００１３】
【図１】実施形態に係る室外側操作つまみをユーザの指により室内側引手側へ押圧したために、この室外側操作つまみの移動が阻止される状態を示す要部縦断面図。
【図２】図１で示す室外側操作つまみの図中上部を室内側引手側へ局所的に押圧したために、この室外側操作つまみの図中上端と室外側引手の上端部内端との間の微小間隙を拡大した状態を示す要部縦断面図。
【図３】実施形態に係る引戸用錠前の一部切欠分解斜視図。
【図４】図３で示す錠本体の解錠状態を示す構成図。
【図５】図４で示す錠本体の施錠状態を示す構成図。
【図６】引戸の木口である開閉先端面を正面から見たときの縦断面図。
【図７】（ａ）は図３，図６等で示す室内側引手の一部（上部）を示す正面図、（ｂ）は同，室外側引手の一部（上部）を示す正面図。
【図８】（ａ）は図１〜３等で示す室外側操作つまみの要部側断面図、（ｂ）は同，室外側操作つまみの裏面を示す裏面図。
【図９】（ａ）は図８（ａ），（ｂ）等で示すロック部材の正面図、（ｂ）は同，ロック部材を背面側から見たときの斜視図、（ｃ）は同，ロック部材の側面図。
【図１０】図１〜図３等で示す係止板の正面図。
【図１１】図１０で示す係止板と、図９（ａ）〜（ｃ）で示す上下一対のロック部材とが施錠位置で対面したときの位置関係を示す図。
【図１２】（ａ）は施錠位置にある室外側操作つまみの図中上端と室外側引手の図中上端部内端との微小間隙内に、例えば所要の硬質等偏平体を挿入する行程を示す一部縦断面図、（ｂ）は同，室外側操作つまみの上端部と室外側引手の上端部内端との微小間隙に、所要の硬質やドライバーの先端部を挿入する行程の一部拡大斜視図。
【発明を実施するための形態】
【００１４】
以下、本発明の実施形態を図面に基づいて説明する。なお、複数の図面中、同一または相当部分には同一符号を付している。
【００１５】
図３は本実施形態に係る引戸用錠前１の一部切欠分解斜視図である。この図３に示すように引戸用錠前１は、引戸２の木口である開閉先端２ａ側一端部の内部に、偏平角筒状の錠収納スペース２ｂを形成し、この錠収納スペース２ｂ内に錠本体の一例である鎌錠３を収納している。
【００１６】
引戸２は、その開閉先端２ａ側端部かつ室内側の側面に、そのほぼ中間の高さにて室内側引手４を形成し、この室内側引手４の反対側の引戸２の室外側側面に、室外側引手５を形成している。すなわち、これら室内，外側引手４，５は錠収納スペース２ｂの両側に配設されている。
【００１７】
引戸２は室内のトイレや洗面所等の所要の部屋や空間の出入口等に配置され、敷居上を摺動して出入口等を開閉し、閉扉時、戸枠８（図５参照）に当接する開閉先端２ａを有する。
【００１８】
図３に示すように、引戸２は、その開閉先端２ａ側端部に、上記錠収納スペース２ｂに連通する開口部２ｃを形成しており、この開口部２ｃには帯金状の封止板２ｄを設けて閉塞している。封止板２ｄには後述する鎌錠本体３ａの先端部が出入する出入口２ｅとトリガストッパー６の先端部が出没する出没口２ｆを形成している。
【００１９】
図４，図５に示すように引戸２は、錠収納スペース２ｂ内の側壁に、金属製矩形平板状の取付ベース２ｇを取り付け、この取付ベース２ｇに鎌錠３を配設している。
【００２０】
鎌錠３は、フック状の鎌錠本体３ａと、この鎌錠本体３ａに一体に連成された鎌カム部３ｂとを具備している。鎌錠３は、取付ベース２ｇに、鎌カム部３ｂを支軸３ｃにより回動可能に取り付けており、鎌カム部３ｂには切欠３ｄを形成している。この切欠３ｄには丸棒状の作動軸３ｅが若干の遊びを持って直交方向に嵌合され、この作動軸３ｅがその軸直角方向（図４中白矢印で示す図中上下方向）に往復動することにより、鎌錠本体３ａが図５で示す施錠位置と図４で示す解（開）錠位置との間を往復動する。符号３ｆは、鎌錠本体３ａを施錠位置と解錠位置とにそれぞれ弾性的に保持するＶ字状のトーションばねである。このトーションばね３ｆはそのＶ字状角部をコイルばねにより構成し、左右一対のＶ字状先端部を円環状に形成し、この円環状先端部の一方を取付ベース２ｇの突部（図示省略）に回動可能に外嵌し、他方の先端部を鎌カム部３ｂに突設した突部の外周に回動可能に外嵌している。符号３ｇは鎌錠本体３ａの解錠位置で支持する鎌ストッパーである。
【００２１】
また、鎌錠３は、錠収納スペース２ｂ内に丸棒状のトリガストッパー６を設けている。トリガストッパー６は、半球状先端部（図中左端部）を引戸２の開閉先端２ａの出没口２ｆから外方へ突出させている。トリガストッパー６は、その後端部をコイルばね６ａにより弾性的に支持させることにより出没可能に構成されている。
【００２２】
トリガストッパー６は、その軸方向中間部に、例えばくの字状のストッパーカム７の図中下端部を嵌合させる嵌合凹部６ｂを形成している。このストッパーカム７の図中上端部は鎌カム部３ｂの係止凹部３ｈに係脱可能に係合している。
【００２３】
このために、図５に示すように引戸２が閉鎖されて、開閉先端２ａが戸枠８に当接すると、この戸枠８によりトリガストッパー６の突出端部が錠収納スペース２ｂ側へ押し込まれて没入される。このために、ストッパーカム７がその支軸７ａ回りに所要角回動し、ストッパーカム７の図中上端部が鎌カム部３ｂの係止凹部３ｈとの係合状態が解除される。これにより、鎌錠本体３ａの回動が可能になる。
【００２４】
そこで、図５に示すように鎌カム部３ｂと、トリガストッパー６との係合が解除された後に、作動軸３ｅが軸直角方向の例えば図中上方の施錠位置まで移動すると、鎌錠本体３ａが支軸３ｃ回りに回動し、戸枠８の縦框に横架された掛止軸８ａに係合し、施錠される。
【００２５】
そして、図６に示すように作動軸３ｅは、その軸方向両端部に、室外側操作つまみ９と室内側操作つまみ１０をそれぞれ取付固定している。室外側操作つまみ９は、図中縦長の有底角筒状の室外側引手５の上部の底面５ａ上を、図中矢印方向（上下方向）の施錠位置と解錠位置との間を往復動可能かつ摺動可能に構成されている。
【００２６】
また、室内側操作つまみ１０は、図中縦長の有底角筒状の室内側引手４の底面４ａ上を図中矢印方向（上下方向）の施錠位置と解錠位置とを往復動可能かつ摺動可能に構成されている。すなわち、室内側操作つまみ１０と室外側操作つまみ９は作動軸３ｅの上下動に連動して上下動する。
【００２７】
図６に示すように、室内側引手４と室外側引手５は引戸２の室内側と室外側の両側面にそれぞれ形成され、錠収納スペース２ｂに連通する縦長の長方形の取付開口部２ｈ（図３参照）内にそれぞれ嵌合されて取り付けられ、掘り込み引手に形成されている。
【００２８】
また、図７（ａ）に示すように室内側操作つまみ１０は例えばステンレス等の金属製平板により平面形状が矩形に形成され、その外面はほぼ平滑面により形成され、往復動の上限位置である施錠位置では、この室内側操作つまみ１０の図中上端面と、室内側引手４の図中上端内面との間には、例えばユーザの指１本が挿入し得る室内側間隙ｇａが形成される。
【００２９】
一方、図７（ｂ）に示すように室外側操作つまみ９も例えばステンレス等の金属製平板により平面形状が矩形に形成され、その外面はほぼ平滑面により形成され、施錠位置では、この室外側操作つまみ９の図中上端面と、室外側引手５の図中上端部内端との間には、上記室内側間隙ｇａよりも非常に狭い微小間隙ｇｂが形成される。この室外側微小間隙ｇｂは、後述する図１２（ｃ）等で示す硬貨ｃやドライバーのシャンク先端部ｄ等の偏平体が挿入し得る間隙である。
【００３０】
また、室外側操作つまみ９がその往復動上限位置である施錠位置にあるときは、この室外側操作つまみ９の図中下端下方には所要大かつ赤等所要色の表示部１１が露出する。表示部１１は室外側引手５の底面５ａ上に形成され、室外側操作つまみ９がその往復動下限位置の解錠位置にあるときは、この室外側操作つまみ９に遮蔽されて目視できないが、この室外側操作つまみ９が上限の解錠位置に摺動（移動）したときに露出し目視できる。この表示部１１が目視できるときは例えばトイレ等の室内が使用中または満室等であることを示し、目視できないときは空室等を示す。
【００３１】
そして、引戸用錠前１は室外側操作つまみ９と室外側引手５に、室内側操作つまみ１０により操作した施錠操作を必要に応じて阻止する阻止機構を設けている。
【００３２】
すなわち、阻止機構は図８（ａ），（ｂ）に示すように室外側操作つまみ９の裏面９ａの下部と上部に、ロック部材１２とスライダー１２ｘとをそれぞれ設ける一方、室外側引手５の底面５ａの図中上部に、図１０等で示す係止板１３を設けている。
【００３３】
図９（ａ）〜（ｃ）に示すようにロック部材１２は所要の金属板等により横長矩形状に形成されたロック部材本体１２ａを有し、このロック部材本体１２ａの横方向中間部には、弾性部の一例である小矩形状の板ばね部１２ｂを、その幅方向両側に形成した切欠により形成している。
【００３４】
図９（ｂ），（ｃ）に示すように板ばね部１２ｂは、その図中下端部がロック部材本体１２ａの一面よりも係止板１３側へ突出するように形成されている。
【００３５】
また、ロック部材１２は、ロック部材本体１２ａに、板ばね部１２ｂの両側にて、被係止部の一例である左右一対の凸部１２ｃ，１２ｄを突設している。
【００３６】
図９（ｃ）に示すようにこれら凸部１２ｃ，１２ｄは板ばね部１２ｂの突出方向と同一方向に突出しているが、その突出量は板ばね部１２ｂの突出量よりも小さい。しかし、これら凸部１２ｃ，１２ｄの突出先端は、後述するように板ばね部１２ｂがロック部材本体１２ａ側へ大きく押圧されて弾性的に圧縮されたときに、相対的に板ばね部１２ｂよりも外方へ大きく突出する。
【００３７】
スライダー１２ｘは、ロック部材本体１２ａとほぼ同形同大のスライダー本体を有するが、板ばね部１２ｂ、一対の凸部１２ｃ，１２ｄを設けておらず、係止板１３の対向面を摺動する単なる平滑面に形成されている。
【００３８】
図１０は係止部材の一例である係止板１３の正面図である。この係止板１３は室外側引手５の底面５ａの開口部外周縁部に嵌合固着されてロック部材１２に対向配置される。
【００３９】
係止板１３は、ほぼ矩形平板状の係止板本体１３ａのほぼ中央部に、上記作動軸３ｅを板厚方向に貫通させる図中縦長の挿通孔１３ｂを形成し、この挿通孔１３ｂの図中左右両側にて、係止部の一例である縦長の左右一対の係合孔１３ｃ，１３ｄを形成している。
【００４０】
これら挿通孔１３ｂおよび係合孔１３ｃ，１３ｄは作動軸３ｅが軸直角方向（図１０中上下方向）の施錠位置と解錠位置とを往復動できる長さに形成されている。
【００４１】
図１１は室外側操作つまみ９が施錠位置に移動したときの係止板１３と、図８で示すロック部材１２の左右一対の凸部１２ｃ，１２ｄとの相対的な位置関係を示している。
【００４２】
すなわち、図１に示すように室外側操作つまみ９の外面がユーザの指等により室内側引手４側（図１では左側）へ押圧されると、ロック部材１２の板ばね部１２ｂが係止板１３側へ押圧されて弾性的に押し潰される。このために、各ロック部材１２の凸部１２ｃ，１２ｄが板ばね部１２ｂよりも相対的に係止板１３側へ大きく突出する。これにより、図１１中、下部のロック部材１２の左右一対の凸部１２ｃ，１２ｄが係止板１３の左右一対の係合孔１３ｃ，１３ｄ内の下端部に係止し、室外側操作つまみ９の下方への移動、すなわち解錠位置への移動が阻止される。
【００４３】
一方、このとき、図１１に示すように作動軸３ｅの図中上端が係止板１３の中央の挿通孔１３ｂ内の図中上端に係止するので、室内側操作つまみ１０と室外側操作つまみ９のこれ以上の上方への移動が阻止され、図７（ｂ）に示すようにこの室外側操作つまみ９の上端と、室外側引手５の図中上端との間に微小間隙ｇｂが形成される。
【００４４】
次に、この引戸用錠前１の作用を説明する。
【００４５】
まず、ユーザがトイレ等所要の部屋等に入り、引戸２を閉めると、図５に示すように、トリガストッパー６の外方へ突出している頭部が戸枠８の縦框の先端外面に衝突して錠収納スペース２ｂ内へ没入する。
【００４６】
このために、ストッパーカム７がその支軸７ａ回りに回動し、錠カム部３ｂの係止凹部３ｈから外れる。これにより、鎌錠本体３ａが施錠方向へ回動可能となる。
【００４７】
そこで、図３に示すように、ユーザがトイレ等の室内側から室内側操作つまみ１０の図中下端に指を掛けて、図中上方へ押し上げると、作動軸３ｅが図中上方へ移動し、図７（ａ）に示すように室内側操作つまみ１０は施錠位置へ摺動する。このために、図４，図５に示すように作動軸３ｅの図中上方への移動により鎌錠本体３ａがその支軸３ｃ回りに回動し、戸枠８の掛止軸８ａに係合し、施錠される。
【００４８】
図７（ａ）はこの室内側操作つまみ１０が施錠位置に摺動したときの正面図であり、この室内側操作つまみ１０の図中上端と、室内側引手４の図中上端内面との間には、例えばユーザの指１本程度が挿入し得る室内側間隙ｇａが形成される。
【００４９】
一方、図７（ｂ）に示すように、室外側操作つまみ９は、作動軸３ｅに連動して施錠位置へ摺動し、室外側操作つまみ９の図中下方に、解錠位置では室外側操作つまみ９の裏面９ａにより遮蔽されて見えなかった「満室」や「使用中」等を示す赤等所要色の表示部１１が表われる。
【００５０】
そして、室外側操作つまみ９の図中上端と室外側引手５の図中上端部内面との間には、室内側間隙ｇａよりも非常に狭い微小間隙ｇｂが形成される。
【００５１】
この微小間隙ｇｂはユーザの指１本も挿入し得ない微小間隙であり、しかも、室外側操作つまみ９の外面はステンレス製等金属製平滑面に形成され、指掛かりも無いので、施錠位置にある室外側操作つまみ９を図中下方の解錠位置に移動させて解錠することには困難性がある。
【００５２】
すなわち、室外側操作つまみ９の外面は指掛かりの無い平滑面に構成されているので、例えば図１に示すように室外側操作つまみ９の外面を室内側引手４側へ押圧しがちである。このために、室外側操作つまみ９の外面を室内側引手４側へ押圧すると、図１２（ａ）に示すように係止板１３上で突出していたロック部材１２の板ばね部１２ｂが図１に示すように係止板１３側へ押圧されて押し潰される。
【００５３】
このために、ロック部材１２の左右一対の凸部１２ｃ，１２ｄが板ばね部１２ｂよりも相対的に係止板１３側へ突出し、図１１に示すように係止板１３の左右一対の係合孔１３ｃ，１３ｄの内方へ突出し、これら係合孔１３ｃ，１３ｄ内の図中下端部に係止される。このために、スライダー１２ｘと、係止板１３の対向面との間にロック部材１２の板ばね部１２ｂの突っ張りにより若干の間隙が形成される。
【００５４】
これにより、室外側操作つまみ９が施錠位置にロックされ、解錠位置への摺動（移動）が阻止される。
【００５５】
その結果、室内側の室内側操作つまみ１０により施錠操作された場合には、室外側の室外側操作つまみ９により解錠することはできない。
【００５６】
しかしながら、緊急時等何らの事情により室内側の施錠を室外側で解錠操作できる方が便利な場合もある。
【００５７】
この場合は、図２，図１２（ａ）に示すように、室外側操作つまみ９の外面上部側、すなわちスライダー１２ｘ側のみを室内側引手４側へ押圧する。すると、室外側操作つまみ９の上部側のスライダー１２ｘが係止板本体１３ａへ押圧されて、スライダー１２ｘが係止板本体１３ａの対向面に当接するので、室外側操作つまみ９の外面全体が傾斜する。
【００５８】
このために、室外側操作つまみ９の上端と、室外側引手５との間に微小間隙ｇｂが形成され、かつこの微小間隙ｇｂの外側開口が若干拡大する。
【００５９】
そこで、次に、この状態で図１２（ｂ）で示すように、微小間隙ｇｂ内に、硬貨ｃやドライバーの先端部等の偏平体を挿入し、室外側操作つまみ９の指による室内側への押圧を止める。
【００６０】
すると、図２に示すように室外側操作つまみ９のロック部材１２の板ばね部１２ｂが弾性復元力により元の位置に復元し、係止板本体１３ａとロック部材１２との間に間隙が形成される。
【００６１】
これにより、図１１で示すロック部材１２の左右一対の凸部１２ｃ，１２ｄと、係止板１３の左右一対の係合孔１３ｃ，１３ｄとの係合状態が解除される。このために、ロック部材１２と係止板１３とのロック状態が解除される。これにより、室外側操作つまみ９の解錠位置への摺動（移動）が可能になる。
【００６２】
そこで、このロック解除状態で、すなわち、室外側操作つまみ９を室内側へ押圧しない状態を保持して、微小間隙ｇｂ内に挿入した硬貨ｃやドライバー先端部ｄ等の偏平体により、室外側操作つまみ９の図中上端を押さえて単に下方の解錠位置へ押し下げる。これにより、室内側で操作した施錠を室外側で解錠できる。
【００６３】
すなわち、この引戸用錠前１によれば、室内側操作つまみ１０により、室内側で操作した施錠は、上記解錠方法を知らなければ室外側の室外側操作つまみ９により解錠することはできない。このために、この解錠方法を知らない子供等のいたずらにより解錠することを阻止することができる。
【００６５】
しかし、緊急時等においては、上記解錠方法により施錠を解錠することもできる。
【００６６】
なお、上記実施形態では、室内，外側引手４，５の上部に施錠位置を設け、下部に解錠位置を設けた場合について説明したが、本発明はこれに限定されるものではなく、例えばこれら施錠位置と解錠位置の上下位置関係を上下逆にしてもよい。
【００６７】
以上、本発明の種々の実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。
【符号の説明】
【００６８】
１…引戸用錠前、２…引戸、３…鎌錠、３ａ…鎌錠本体、３ｅ…作動軸、４…室内側引手、５…室外側引手、９…室外側操作つまみ、１０…室内側操作つまみ、１２…ロック部材、１２ｂ…板ばね部（弾性部）、１２ｃ，１２ｄ…左右一対の凸部（被係止部）、１２ｘ…スライダー、１３…係止板（係止部材）、１３ｃ，１３ｄ…左右一対の係合孔（係止部）、ｇｂ…微小間隙。
【図１】
0005994054.tif 000002
【図２】
0005994054.tif 000003
【図３】
0005994054.tif 000004
【図４】
0005994054.tif 000005
【図５】
0005994054.tif 000006
【図６】
0005994054.tif 000007
【図７】
0005994054.tif 000008
【図８】
0005994054.tif 000009
【図９】
0005994054.tif 000010
【図１０】
0005994054.tif 000011
【図１１】
0005994054.tif 000012
【図１２】
0005994054.tif 000013